(57)【特許請求の範囲】
【請求項１】
支持枠と、該支持枠に第１ヒンジ機構を介して開閉可能に支持された第１ドアと、前記支持枠との間に前記第１ドアを挟むように配置され、前記支持枠に第２ヒンジ機構を介して開閉可能に支持された第２ドアと、を備えたドア開閉装置において、
前記第１ドアおよび前記第２ドアの双方が閉じているときには、ドア開閉方向の両側から加圧されて該加圧状態を検知し、前記第１ドア又は第２ドアのいずれか一方又は双方が開いているときには、片側又は両側からの加圧が解除されて該加圧解除状態を検知する検知手段を設け、
該検知手段によって前記第１ドアの開閉状態と前記第２ドアの開閉状態とをそれぞれ検知可能にしたことを特徴とするドア開閉装置の開閉検知機構。
【請求項２】
前記検知手段が、
前記支持枠および前記第２ドアのそれぞれに当接可能で、かつ、互いに離間する一方および他方の停止位置の間で前記第１ドアに対しドア開閉方向に移動可能に支持された可動部材と、
該可動部材を前記一方の停止位置に付勢するとともに、前記第１ドア又は前記第２ドアによって加圧された可動部材の、前記他方の停止位置への移動を許容する付勢手段と、
前記第１ドアが閉じ、前記支持枠に当接した前記可動部材が前記第１ドアに対する前記他方の停止位置に停止しているとき、前記第２ドアが閉じるのに伴って該可動部材により操作されるよう前記第２ドアに支持されたスイッチと、で構成されたことを特徴とする請求項１に記載のドア開閉装置の開閉検知機構。
【請求項３】
前記検知手段が、
前記第１ドアに支持された荷重検出素子と、
該荷重検出素子と前記支持枠の間に設けられ、前記第１ドアが閉じるとき前記荷重検出素子と前記支持枠の間で加圧される第１弾性部材と、
該荷重検出素子と前記第２ドアの間に設けられ、前記第２ドアが閉じるとき前記荷重検出素子と前記第２ドアの間で加圧される第２弾性部材と、で構成されたことを特徴とする請求項１に記載のドア開閉装置の開閉検知機構。
【請求項４】
請求項１、２又は３に記載されたドア開閉装置の開閉検知機構を備えた遊技機であって、
前記第１ドアに遊技盤が装着されるとともに該第１ドアが機枠に開閉可能に支持された支持枠として構成され、
前記第２ドアに前記遊技盤の前面に位置する透明板からなる窓が装着されたことを特徴とする遊技機。
【発明の詳細な説明】
【０００１】
【発明の属する技術分野】
本発明は、ドア開閉装置の開閉検知機構、特に閉止時に対面する複数のドアを個別に開閉することができるドア開閉装置における開閉検知機構に関し、更に、そのようなドア開閉装置およびその開閉検知機構を備えた遊技機に関する。
【０００２】
【従来の技術】
従来、閉止時に対面する複数のドアを個別に開閉操作することができるようにしたドア開閉装置がパチンコ遊技機等に使用されている。
【０００３】
この種のドア開閉装置としては、遊技盤の前後で枠体を複数に分割し、遊技盤の前面の窓扉又は前側の枠体と、球発射装置や払出し装置等の裏機構およびそれらの制御基板を支持する後ろ側の枠体とを、それぞれ別個に構成したものが多用されている。また、遊技盤を新規なものに容易に入れ替えできるように、遊技盤を前側の枠体に着脱可能にしたものがある。
【０００４】
さらに、前側の枠体と後ろ側の枠体のそれぞれ開閉状態を検知するため、そのヒンジ機構側とは反対側の自由端側に複数の開閉検知用のスイッチを設けて、個別のドアの開閉状態をモニタできるようになっている。
【０００５】
【発明が解決しようとする課題】
しかしながら、従来のパチンコ遊技機にあっては、個別に任意に開閉されるドアの開閉状態を検知するために、ドアごとに一つの開閉検知手段を設けていたため、その設置スペースが大きくなるばかりか、それぞれの開閉検知手段について電気回路接続のためのハーネス類の引き回しや取付け作業が必要になり、コスト高や信頼性の低下を招くという問題があった。
【０００６】
そこで本発明は、複数のドアの開閉検知を少数の開閉検知手段で行うようにして、ドア開閉装置や遊技機の製造コストの低減と信頼性向上を図るものである。
【０００７】
【課題を解決するための手段】
上記課題を解決するため、本発明は、支持枠と、該支持枠に第１ヒンジ機構を介して開閉可能に支持された第１ドアと、前記支持枠との間に前記第１ドアを挟むように配置され、前記支持枠に第２ヒンジ機構を介して開閉可能に支持された第２ドアと、を備えたドア開閉装置において、前記第１ドアおよび前記第２ドアの双方が閉じているときには、ドア開閉方向の両側から加圧されて該加圧状態を検知し、前記第１ドア又は第２ドアのいずれか一方又は双方が開いているときには、片側又は両側からの加圧が解除されて該加圧解除状態を検知する検知手段を設け、該検知手段によって前記第１ドアの開閉状態と前記第２ドアの開閉状態とをそれぞれ検知可能にしたことを特徴とする。
【０００８】
本発明の開閉検知機構では、第１ドアおよび第２ドアの双方が閉じているときには、検知手段がドア開閉方向の両側から加圧されてその加圧状態が検知され、第１ドア又は第２ドアのいずれか一方又は双方が開いているときには、検知手段への片側又は両側からの加圧が解除され、その加圧解除状態が検知されることから、単一の検知手段で第１ドアおよび第２ドアの個別の開閉状態を検知できることとなる。
【０００９】
また、本発明においては、前記検知手段が、前記支持枠および前記第２ドアのそれぞれに当接可能で、かつ、互いに離間する一方および他方の停止位置の間で前記第１ドアに対しドア開閉方向に移動可能に支持された可動部材と、該可動部材を前記一方の停止位置に付勢するとともに、前記第１ドア又は前記第２ドアによって加圧された可動部材の、前記他方の停止位置への移動を許容する付勢手段と、前記第１ドアが閉じ、前記支持枠に当接した前記可動部材が前記第１ドアに対する前記他方の停止位置に停止しているとき、前記第２ドアが閉じるのに伴って該可動部材により操作されるよう前記第２ドアに支持されたスイッチと、で構成されたものであるのが好ましい。この場合、内側の第１ドアには可動部材を装着してこれを一方の停止位置に付勢するだけでよく、構成が簡素にできるのに加えて、第１のドアの開放状態ではスイッチやそのハーネス類が外部に露出しないようにすることができる。
【００１０】
あるいは、本発明においては、前記検知手段が、前記第１ドアに支持された荷重検出素子と、該荷重検出素子と前記支持枠の間に設けられ、前記第１ドアが閉じるとき前記荷重検出素子と前記支持枠の間で加圧される第１弾性部材と、該荷重検出素子と前記第２ドアの間に設けられ、前記第２ドアが閉じるとき前記荷重検出素子と前記第２ドアの間で加圧される第２弾性部材と、で構成されたことを特徴とする。この場合、荷重検出素子はドア開閉方向両側からの加圧をそれぞれ検知できなければならないが、弾性部材による単純な加圧が可能であるから、第２のドアおよび支持枠側の構成を簡素にできることになる。
【００１１】
また、本発明の遊技機は、請求項１、２又は３に記載されたドア開閉装置の開閉検知機構を備えた遊技機であって、前記第１ドアに遊技盤が装着されるとともに該第１ドアが機枠に開閉可能に支持された枠体として構成され、前記第２ドアに前記遊技盤の前面に位置する透明板からなる窓が装着されたことを特徴とする。この遊技機では、第１ドアおよび第２ドアの双方が閉じているときにはその加圧状態が検知され、第１ドア又は第２ドアのいずれか一方又は双方が開いているときにはその加圧解除状態が検知されることから、単一の検知手段で第１ドアおよび第２ドアの個別の開閉状態を検知できることとなる。
【００１２】
【発明の実施の形態】
以下、本発明の好ましい実施の形態を図面に基づいて説明する。
【００１３】
図１〜図６は本発明の一実施形態に係るドア開閉装置の開閉検知機構を装備した遊技機を示す図であり、本発明をパチンコ遊技機に適用した例を示している。
【００１４】
図１および図２において、１０はパチンコ遊技機であり、パチンコ遊技機１０は、支持枠である機枠１００に支持されたベースドア１１と、このベースドア１１の正面上部に設けられた窓付ドア１２と、ベースドア１１の前面側に配置された図示しない遊技盤とを備えている。
【００１５】
ベースドア１１は、図１中の左端側で第１ヒンジ機構１１５Ａ、１１５Ｂを介して機枠１００に前後に開閉可能に支持されており、通常は閉じている。なお、詳細形状を図示していないが、このベースドア１１の裏面側には機枠１００内に位置する複数の機構部材からなる裏機構が配設されている。
【００１６】
窓付ドア１２は、遊技盤の遊技領域に対応する開口窓１２ａを透明板で形成したもので、ベースドア１１に対し図２に矢印Ｒで示す前後開閉方向の開閉ができるよう、図示しない第２ヒンジ機構（図１中で左端側に位置する）を介してベースドア１１に回動可能に支持されている。すなわち、窓付ドア１２は、機枠１００との間にベースドア１１を挟むように配置され、機枠１００に前記第２ヒンジ機構を介して開閉可能に支持された第２ドアとなっている。この窓付ドア１２には、複数の発光素子群を内蔵した電飾表示部１２１、１２２が設けられている。また、窓付ドア１２はロック機構１２３によってベースドア１１に対し閉止位置でロックされ、更にベースドア１１と共に閉止状態で機枠１００にロックされるようになっている。
【００１７】
窓付ドア１２の下方には、上側球受皿１５が設けられており、その上側球受皿１５の下方側には、下側球受皿１６と、遊技者によって回動操作される操作ハンドル１７とが、それぞれ設けられている。１８は、上側球受皿１５の球抜き操作を行うための球抜操作レバーであり、球抜操作レバー１８を図中で左側に移動させる球抜き操作によって上側球受皿１５から下側球受皿１６に遊技球が流下・排出できるようになっている。１９は灰皿である。
【００１８】
このパチンコ遊技機１０においては、側方に隣接配置された球貸し機１のカード挿入口１ａに度数カードである所定のプリペイドカードが挿入され（勿論、現金投入でもよい）、上側球受皿１５の正面で後述する貸し球の貸出し操作がされたとき、貸し球が払出し口２９から上側球受皿１５に貸し出される一方、遊技者によるハンドル１７の操作量に応じて、上側球受皿１５の裏側で公知の発射装置（詳細は図示していない）が作動し、遊技領域内に遊技球を発射する。そして、例えば遊技盤上において、始動入賞口、一般入賞口、大入賞口のうちいずれかに遊技球が入ると、払出し口２９から上側球受皿１５への遊技球の払出しが行われる。また、遊技球が通過ゲートを通過すると、普通図柄表示用ＬＥＤの２色交互点灯による普通図柄変動表示が実行され、その変動が所定の停止態様で停止すれば始動入賞口のチューリップが開く。また、この始動入賞口に遊技球が入賞すると、図柄表示装置で特別図柄の変動表示ゲームが実行され、その停止態様に応じて大入賞口の開閉扉が前後方向に開閉するといった遊技がなされるようになっている。  一方、図２に示すように、ベースドア１１および窓付ドア１２の同図中右端側には、検知手段５０が設けられている。
【００１９】
この検知手段５０は、ベースドア１１および窓付ドア１２の双方が閉じているときには、ドア開閉方向Ｒの両側から加圧されてその加圧状態を検知し、ベースドア１１又は窓付ドア１２のいずれか一方又は双方が開いているときには、片側又は両側からの加圧が解除されて、その加圧解除状態を検知するようになっており、この検知手段５０によってベースドア１１の開閉状態と窓付ドア１２の開閉状態とをそれぞれ検知できるようになっている。
【００２０】
具体的には、検知手段５０は、軸受スリーブ５５および取付板５６を介してベースドア１１に支持されたプランジャ５１（可動部材）と、このプランジャ５１の後端部に係止されたＥリング５７およびワッシャ５８と、ワッシャ５８および取付板５６の間に縮設された弾性部材であるスプリング５２と、プランジャ５１の前端に当接可能な高さおよび左右位置で窓付ドア１２に支持されたスイッチ５３とによって構成されている。
【００２１】
プランジャ５１は、前端部が軸受スリーブ５５の内径より大径に拡径したもので、その後端部にＥリング５７を装着することにより、ベースドア１１に対しドア開閉方向に離間する一方の停止位置（図４（ｂ）、図５にそれぞれ示す後方側の停止位置）および他方の停止位置（図３に示す前方側の停止位置）の間で軸方向移動できるようになっている。また、スプリング５２は、プランジャ５１を図５に示すようにＥリング５７およびワッシャ５８を介して一方の停止位置に付勢する付勢手段で、プランジャ５１をベースドア１１から突出させることができる。さらに、スプリング５２は、ベースドア１１が閉じることによってプランジャ５１が前方側に加圧されたときには、それに伴って圧縮されることにより、プランジャ５１が前方側（他方の停止位置側）へ移動するのを許容するようになっている。このスプリング５２は、他の弾性体、例えばゴム弾性を有するもの又は板ばねのような弾性体であってもよい。
【００２２】
また、スイッチ５３は、例えば出没可能な操作部５３ａを押下することによりＯＮ／ＯＦＦを切替えることができるプッシュスイッチであり、ベースドア１１が閉じ、機枠１００に当接したプランジャ５１が図３に示すようにベースドア１１に対する他方の停止位置（没入位置）に停止しているとき、窓付ドア１２が閉じるのに伴ってその操作部５３ａがプランジャ５１によって押され、ＯＮ／ＯＦＦ切替え操作をされるようになっている。なお、スイッチ５３には操作部５３ａを所定の突出位置に復帰させるよう常時突出側に付勢する図示しないスプリングが内蔵されている。
【００２３】
このように構成された本実施形態のドア開閉装置の開閉検知機構においては、ベースドア１１および窓付ドア１２の双方が閉じているときには、検知手段５０のプランジャ５１がドア開閉方向の両側から加圧されるとともにスイッチ５３を没入方向に操作し、スイッチ５３によってその加圧状態が検知される。
【００２４】
一方、ベースドア１１又は窓付ドア１２のいずれか一方又は双方が開いているときには、検知手段５０のプランジャ５１への片側又は両側からの加圧は、解除される。すなわち、窓付ドア１２が図６（ａ）に示す閉止状態から図６（ｂ）に示すように開いたときには、スイッチ５３の操作部５３ａが突出状態に復帰し、スイッチ５３内のスプリングによるプランジャ５１への前方側からの加圧が解除されるとともに、スイッチ５３がＯＮ又はＯＦＦに切り替わる。
【００２５】
また、図６（ｃ）に示すように、ベースドア１１が開いたときには、機枠１００から離隔したプランジャ５１がスプリング５２の付勢力によって後方側に移動するとともに、プランジャ５１への前方側及び後方側からの加圧が解除され、それと同時にスイッチ５３がＯＦＦ又はＯＮに切り替わる。
【００２６】
本実施形態においては、このようにしてプランジャ５１への前後方向の加圧状態および加圧解除状態が検知されるので、単一の検知手段５０でベースドア１１および窓付ドア１２の個別の開閉状態を検知できることとなり、部品削減や組立工数の削減を図ることができる。しかも、内側のベースドア１１にはプランジャ５１を装着してこれをスプリング５２で一方の停止位置に付勢するだけでよく、構成が簡素にできる。これに加え、ベースドア１１の開放状態では、スイッチ５３やそのハーネス類が外部に露出しないようにすることができる。
【００２７】
さらに、ベースドア１１と機枠１００の間に、スプリング５２等の弾性部材が介在することになるので、遊技盤や裏機構を装着し重量が大きくなっているベースドア１１でも開放操作が容易となる程度まで即座に開き、操作性がよい。
【００２８】
また、重量のあるベースドア１１が閉止されるときの衝撃を十分に緩和でき、かつ閉止状態でのベースドア１１のがたつきを抑えることができる。
【００２９】
一方、窓付ドア１２はベースドア１１に比べると軽量であるので、スイッチ５３内のスプリング程度でも、ベースドア１１の場合と同様な作用効果が期待できる。
【００３０】
（他の実施形態）
図７は、本発明の他の実施形態に係るドア開閉装置を備えたパチンコ遊技機を示すその要部断面図である。なお、同図において、上述の実施形態と同一の構成部材については、図１〜図６と同一の符号を付して説明する。
【００３１】
同図において、検知手段７０は、ベースドア１１に支持された荷重検出素子７１と、この荷重検出素子７１と機枠１００の間に設けられ、ベースドア１１が閉じるとき荷重検出素子７１と機枠１００の間で加圧される第１弾性部材７３と、荷重検出素子７１と窓付ドア１２の間に設けられ、窓付ドア１２が閉じるとき荷重検出素子７１と窓付ドア１２の間で加圧される第２弾性部材７４と、で構成されている。具体的には、第１弾性部材７３および第２弾性部材７４は、それぞれ例えばスプリングから構成されているが、ゴム弾性を有するものでもよいし、板ばねのような弾性体でもよい。
【００３２】
また、荷重検出素子７１は、例えばベースドア１１の自由端側に固定された固定部材７５と、第１弾性部材７３および第２弾性部材７４を両面に装着した被加圧部材７６と、これら固定部材７５および被加圧部材７６の間に介在する図示しない荷重センサ（例えば抵抗体歪みゲージからなる）とで構成されている。前記荷重センサに代えて、感圧センサや圧力スイッチ等を用いることも考えられる。
【００３３】
荷重検出素子７１は、ドア開閉方向両側からの加圧をそれぞれ検知できなければならないが、第１弾性部材７３および第２弾性部材７４による単純な加圧が可能であるから、第２のドアおよび機枠１００側の構成を簡素にできることになる。
【００３４】
本実施形態においても、上述の実施形態と同様な効果が期待できる。また、本実施形態においては、窓付ドア１２とベースドア１１の間、ベースドア１１と機枠１００の間に、それぞれ弾性部材７３、７４が介在することになるので、ベースドア１１や窓付ドア１２の開放時には開放操作が容易となる程度まで即座に開き、操作性がよい。しかも、ドア閉止時の衝撃を弾性部材７３、７４で緩和し、かつ閉止状態でのベースドア１１や窓付ドア１２のがたつきを抑えることができる。
【００３５】
なお、上述の各実施形態においては、ドア開閉装置の開閉検知機構をパチンコ遊技機１０のフロントパネル側のドア開閉の検知に適用したものとしたが、本発明は他の同一方向に回動して開閉される複数のドアを有する他の遊技機や装置にも適用できる。また、ここにいうドアは、物や人が出入りする通常のドアに限らず、ヒンジ機構で支持され開閉操作されることによって自由端側で相対的に接近および離隔する複数の回動体であればよい。さらに、ドア開閉装置におけるドアは、２つに限らず、３つ以上のドアであってもよい。例えば、一実施形態のプランジャ５１およびスプシング５２等からなる被加圧ユニット６０を各ドアに設けて、いずれかのドアが開いたときにスイッチ５３がＯＮ／ＯＦＦ切替えされる（操作部５３ａが突出する）ように構成することができる。
【００３６】
【発明の効果】
本発明によれば、第１ドアおよび第２ドアの双方が閉じているときには、検知手段がドア開閉方向の両側から加圧してその加圧状態を検知し、第１ドア又は第２ドアのいずれか一方又は双方が開いているときには、検知手段への片側又は両側からの加圧を解除してその加圧解除状態を検知するようにしているので、単一の検知手段で第１ドアおよび第２ドアの個別の開閉状態を検知することができる。その結果、複数のドアの開閉検知を少数の開閉検知手段で行うことができ、部品点数および組立工数を削減して、製造コストの低減と信頼性向上を図ることができる。
【図面の簡単な説明】
【図１】本発明の一実施形態に係るドア開閉装置の開閉検知機構を装備したパチンコ遊技機の正面側の外観斜視図である。
【図２】一実施形態に係るパチンコ遊技機のドア開閉を説明する平面図である。
【図３】一実施形態に係るドア開閉装置の開閉検知機構を示すパチンコ遊技機の要部側面断面図である。
【図４】一実施形態の検知手段の可動部材のベースドアへの取付け構造を示す要部概略正面図である。
【図５】一実施形態の開閉検知機構の可動部材周辺の半製品組立て状態を示すその断面図である。
【図６】一実施形態のドア開閉装置のドア開閉状態を示す図で、（ａ）はドア閉止状態を、（ｂ）は第２ドアの開放状態を、（ｃ）は第１ドアの開放状態を、それぞれ示している。
【図７】本発明の他の実施形態に係るドア開閉装置の開閉検知機構を装備したパチンコ遊技機の要部構成を示す側面断面図で、（ａ）はドア閉止状態を、（ｂ）は第２ドアの開放状態を、（ｃ）は第１ドアの開放状態を、それぞれ示している。
【符号の説明】
１０    パチンコ遊技機（遊技機）
１１    ベースドア
１２    窓付ドア
５０、７０    検知手段
５１    プランジャ（可動部材）
５２    スプリング（弾性部材、付勢手段）
５３    スイッチ
７１    荷重検出素子
７３    第１弾性部材
７４    第２弾性部材
７５    固定部材
７６    被加圧部材
１００    機枠（支持枠）
１１５Ａ、１１５ｂ    第１ヒンジ機構
【図１】
0004159724.tif 000002
【図２】
0004159724.tif 000003
【図３】
0004159724.tif 000004
【図４】
0004159724.tif 000005
【図５】
0004159724.tif 000006
【図６】
0004159724.tif 000007
【図７】
0004159724.tif 000008